【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
高効率ビデオコーディング（ＨＥＶＣ）標準に従ってビデオデータを処理する方法であって、前記方法は、
ビットストリームにおけるビデオパラメータセット（ＶＰＳ）中の仮想参照デコーダ（ＨＲＤ）の複数のパラメータのセットおよび前記ビットストリームにおけるシーケンスパラメータセット（ＳＰＳ）中のＨＲＤの複数のパラメータのセットの中から、符号化されたビデオデータを備えるビットストリームの特定の動作点に適用可能なＨＲＤの複数のパラメータのセットとして、仮想参照デコーダ（ＨＲＤ）の複数のパラメータの１つのセットを選択することと、ここにおいて、前記特定の動作点に適用可能なＨＲＤの複数のパラメータの前記セットを選択することは、前記特定の動作点のレイヤ識別子セットが、復号されることになるまたは試験対象であるビットストリームのサブセットの中に存在するすべてのレイヤ識別子のセットを含むときに、前記ＳＰＳ中のＨＲＤの複数のパラメータの前記セットが前記特定の動作点に適用可能であると決定することを備える、
前記特定の動作点に適用可能なＨＲＤの複数のパラメータの前記選択されたセットに少なくとも一部基づいて、前記ビットストリームのサブセット上でＨＲＤ動作を実行することと
を備える、方法。
【請求項２】
前記特定の動作点に適用可能なＨＲＤの複数のパラメータの前記セットは、当初のコーディングピクチャバッファ（ＣＰＢ）の除去遅延と、ＣＰＢサイズと、ビットレートと、当初の復号されたピクチャのバッファ（ＤＰＢ）の出力遅延と、およびＤＰＢサイズとを規定する複数のパラメータを含む、請求項１に記載の方法。
【請求項３】
前記ビットストリームのサブセット中に存在する各レイヤ識別子を含む前記特定の動作点のターゲットレイヤ識別子セットを決定することと、ここにおいて、前記特定の動作点の前記ターゲットレイヤ識別子セットは、前記ビットストリーム中に存在するレイヤ識別子のサブセットである、
前記ビットストリームのサブセット中に存在する最大の一時的な識別子に等しい前記特定の動作点のターゲット一時的な識別子を決定することと、ここにおいて、前記特定の動作点の前記ターゲット一時的な識別子は、前記ビットストリーム中に存在する前記最大の一時的な識別子以下である、
をさらに備える、請求項１に記載の方法。
【請求項４】
ＨＲＤの複数のパラメータの前記セットを選択することが、前記ＳＰＳにおいて規定されるレイヤ識別子のセットが前記特定の動作点の前記ターゲットレイヤ識別子セットと同一であると決定することに応答して、前記ＳＰＳ中のＨＲＤの複数のパラメータの前記セットを選択することを備える、請求項３に記載の方法。
【請求項５】
前記ＨＲＤ動作を実行することは、前記ビットストリームがビデオコーディング標準に適合するかどうかを決定するビットストリーム適合試験を実行することを備える、請求項１に記載の方法。
【請求項６】
前記ビットストリーム適合試験を実行することが、コーディングされたビデオシーケンス中のＨＲＤの複数のパラメータのすべてのセットに対してＨＲＤの複数のパラメータの１つ以上のセットが同じ動作点に適用されるとき、前記ビットストリームが前記ビデオコーディング標準に適合しないと決定することを備える、請求項５に記載の方法。
【請求項７】
前記ビットストリーム適合試験を実行することは、前記ＶＰＳ中のＨＲＤの複数のパラメータの１つ以上のセットが同じ動作点に適用されるとき、前記ビットストリームが前記ビデオコーディング標準に適合しないと決定することを備える、請求項５に記載の方法。
【請求項８】
前記ビットストリーム適合試験を実行することは、値０のみを含むレイヤ識別子セットを有する動作点に適用されるＨＲＤの複数のパラメータのセットを前記ＶＰＳが含むとき、前記ビットストリームが前記ビデオコーディング標準に適合しないと決定することを備える、請求項５に記載の方法。
【請求項９】
高効率ビデオコーディング（ＨＥＶＣ）標準に従ってビデオデータを処理するためのデバイスであって、
ビットストリームにおけるビデオパラメータセット（ＶＰＳ）中の仮想参照デコーダ（ＨＲＤ）の複数のパラメータのセットおよび前記ビットストリームにおけるシーケンスパラメータセット（ＳＰＳ）中のＨＲＤの複数のパラメータのセットの中から、符号化されたビデオデータを備えるビットストリームの特定の動作点に適用可能なＨＲＤの複数のパラメータのセットとして、仮想参照デコーダ（ＨＲＤ）の複数のパラメータの１つのセットを選択するための手段と、ここにおいて、前記選択するための手段は、前記特定の動作点のレイヤ識別子セットが、復号されることになるまたは試験対象であるビットストリームのサブセットの中に存在するすべてのレイヤ識別子のセットを含むときに、前記ＳＰＳ中のＨＲＤの複数のパラメータの前記セットが前記特定の動作点に適用可能であると決定するための手段を備える、
前記特定の動作点に適用可能なＨＲＤの複数のパラメータの前記選択されたセットに少なくとも一部基づいて、ビットストリームのサブセット上でＨＲＤ動作を実行するための手段と
を備える、デバイス。
【請求項１０】
前記特定の動作点に適用可能なＨＲＤの複数のパラメータの前記セットは、当初のコーディングピクチャバッファ（ＣＰＢ）の除去遅延と、ＣＰＢサイズと、ビットレートと、当初の復号されたピクチャのバッファ（ＤＰＢ）の出力遅延と、およびＤＰＢサイズとを規定する複数のパラメータを含む、請求項９に記載のデバイス。
【請求項１１】
前記ビットストリームのサブセット中に存在する各レイヤ識別子を含む前記特定の動作点のターゲットレイヤ識別子セットを決定するための手段と、ここにおいて、前記特定の動作点の前記ターゲットレイヤ識別子セットは、前記ビットストリーム中に存在するレイヤ識別子のサブセットである、
前記ビットストリームのサブセット中に存在する最大の一時的な識別子に等しい前記特定の動作点のターゲット一時的な識別子を決定するための手段と、ここにおいて、前記特定の動作点の前記ターゲット一時的な識別子は、前記ビットストリーム中に存在する前記最大の一時的な識別子以下である、
をさらに備える、請求項９に記載のデバイス。
【請求項１２】
前記ＳＰＳにおいて規定されるレイヤ識別子のセットが前記特定の動作点の前記ターゲットレイヤ識別子セットと同一であると決定することに応答して、前記ＳＰＳ中のＨＲＤの複数のパラメータの前記セットを選択するための手段、請求項１１に記載のデバイス。
【請求項１３】
前記ビットストリームがビデオコーディング標準に適合するかどうかを決定するビットストリーム適合試験を実行するための手段、請求項９に記載のデバイス。
【請求項１４】
コーディングされたビデオシーケンス中のＨＲＤの複数のパラメータのすべてのセットに対してＨＲＤの複数のパラメータの１つ以上のセットが同じ動作点に適用されるとき、および／または前記ＶＰＳ中のＨＲＤの複数のパラメータの１つ以上のセットが同じ動作点に適用されるとき、および／または
値０のみを含むレイヤ識別子セットを有する動作点に適用されるＨＲＤの複数のパラメータのセットを前記ＶＰＳが含むとき
前記ビットストリームが前記ビデオコーディング標準に適合しないと決定するための手段、請求項１３に記載のデバイス。
【請求項１５】
デバイスの１つまたは複数のプロセッサによって実行されると、請求項１乃至８のいずれか一項に記載の方法を実行するように前記デバイスを構成する、命令が記憶されたコンピュータ可読のデータ記憶媒体。